(57)【特許請求の範囲】
【請求項１】
移動局がチャネル割当て装置にチャネル割当て要求をして、前記チャネル割当て装置がチャネル割当て要求に応じて当該移動局にチャネルを割当てて、割当てたチャネルにより無線基地局と前記移動局との間で通信を行う移動通信システムであって、
前記チャネル割当て要求の際に前記移動局から前記チャネル割当て装置に送信した希望するチャネルの品質を示す希望品質情報と、このチャネル割当て要求に対して前記チャネル割当て装置が当該移動局に実際に割当てたチャネルの品質を示す実品質情報とを対応させて履歴情報として記録する情報保持手段を有し、
前記チャネル割当て装置は、前記移動局からチャネル割当て要求を受信したときに、前記情報保持手段に記録されている履歴情報の希望品質情報と実品質情報とを参照して、前記チャネル割当て要求とともに送信されてきた前記希望品質情報に対する目標品質を決定して、この目標品質のチャネルを割当てること
を特徴とする移動通信システム。
【請求項２】
前記履歴情報の希望品質情報と実品質情報とを参照して、当該履歴情報の希望品質情報と実品質情報との差の総和に、前記チャネル割当て要求とともに送信されてきた前記希望品質情報と前記目標品質を示す目標品質情報との差を加えた値の平均値が所定値になるような、前記目標品質を決定することを特徴とする請求項１記載の移動通信システム。
【請求項３】
前記情報保持手段は、前記チャネル割当て装置が備えており、
前記チャネル割当て装置は、前記移動局からチャネル割当て要求とともに送信されてくる前記希望品質情報を前記情報保持手段に記録することを特徴とする請求項１又は２に記載の移動通信システム。
【請求項４】
前記情報保持手段は、前記移動局が備えており、
前記移動局は、前記希望品質情報を前記チャネル割当て装置に送信するともに、前記情報保持手段に記録することを特徴とする請求項１乃至３のいずれかに記載の移動通信システム。
【請求項５】
前記所定値は、前記情報保持手段に記録されている他の移動局の履歴情報の希望品質情報と実品質情報との差の総和の平均値であることを特徴とする請求項２乃至４のいずれかに記載の移動通信システム。
【請求項６】
前記品質は、通信において使用者の満足度を示す指標となる情報であることを特徴とする請求項１乃至５のいずれかに記載の移動通信システム。
【請求項７】
移動局が無線基地局との間で通信を行うためのチャネル割当て要求を前記移動局が前記チャネル割当て装置にして、前記チャネル割当て装置が前記チャネル割当て要求に応じて当該移動局にチャネルを割当てる通信チャネル割当方法において、
前記チャネル割当て要求の際に前記移動局から前記チャネル割当て装置に送信した希望するチャネルの品質を示す希望品質情報と、このチャネル割当て要求に対して前記チャネル割当て装置が当該移動局に実際に割当てたチャネルの品質を示す実品質情報とを対応させて履歴情報として情報保持手段に記録し、
前記チャネル割当て装置では、前記移動局からチャネル割当て要求を受信したときに、前記情報保持手段に記録されている履歴情報の希望品質情報と実品質情報とを参照して、前記チャネル割当て要求とともに送信されてきた前記希望品質情報に対する目標品質を決定して、この目標品質のチャネルを割当てること
を特徴とする通信チャネル割当方法。
【請求項８】
前記履歴情報の希望品質情報と実品質情報とを参照して、当該履歴情報の希望品質情報と実品質情報との差の総和に、前記チャネル割当て要求とともに送信されてきた前記希望品質情報と前記目標品質を示す目標品質情報との差を加えた値の平均値が所定値になるような、前記目標品質を決定することを特徴とする請求項７記載の通信チャネル割当方法。
【請求項９】
前記所定値は、前記情報保持手段に記録されている他の移動局の履歴情報の希望品質と実品質との差の総和の平均値であることを特徴とする請求項８に記載の通信チャネル割当方法。
【請求項１０】
前記品質は、通信において使用者の満足度を示す指標となる情報であることを特徴とする請求項７乃至９のいずれかに記載の通信チャネル割当方法。
【請求項１１】
移動局が無線基地局との間で通信を行うための当該移動局からのチャネル割当て要求に応じて当該移動局にチャネルを割当てるチャネル割当て装置であって、
前記移動局からチャネル割当て要求を受信したときに、前記チャネル割当て要求の際に前記移動局が送信した希望するチャネルの品質を示す希望品質情報と、このチャネル割当て要求に対して当該移動局が実際に割当てられたチャネルの品質を示す実品質情報とが対応されて記録されている履歴情報の前記希望品質情報と前記実品質情報とを参照して、前記チャネル割当て要求とともに送信されてきた前記希望品質情報に対する目標品質を決定して、この目標品質のチャネルを割当てること
を特徴とするチャネル割当て装置。
【請求項１２】
前記履歴情報の希望品質情報と実品質情報とを参照して、当該履歴情報の希望品質情報と実品質情報との差の総和に、前記チャネル割当て要求とともに送信されてきた前記希望品質情報と前記目標品質を示す目標品質情報との差を加えた値の平均値が所定値になるような、前記目標品質を決定することを特徴とする請求項１１記載のチャネル割当て装置。
【請求項１３】
前記履歴情報を情報保持手段に保持していることを特徴とする請求項１１又は１２に記載のチャネル割当て装置。
【請求項１４】
前記所定値は、他の移動局の履歴情報の希望品質情報と実品質情報との差の総和の平均値であることを特徴とする請求項１２又は１３に記載のチャネル割当て装置。
【請求項１５】
前記品質は、通信において使用者の満足度を示す指標となる情報であることを特徴とする請求項１１乃至１４のいずれかに記載のチャネル割当て装置。
【請求項１６】
移動局がチャネル割当て装置にチャネル割当て要求をして、前記チャネル割当て装置がチャネル割当て要求に応じて当該移動局にチャネルを割当てて、割当てたチャネルにより無線基地局と前記移動局との間で通信を行う移動通信システムに備えられ、
前記チャネル割当て要求の際に前記移動局から前記チャネル割当て装置に送信した希望するチャネルの品質を示す希望品質情報と、このチャネル割当て要求に対して前記チャネル割当て装置が当該移動局に実際に割当てたチャネルの品質を示す実品質情報とを対応させて履歴情報として情報保持手段に記録すること
を特徴とする情報管理装置。
【請求項１７】
複数の通信エリアのそれぞれで移動局が無線基地局との間で通信可能とされており、前記移動局が前記チャネル割当て装置にチャネル割当て要求して、前記チャネル割当て装置がチャネル割当て要求に応じて当該移動局にチャネルを割当てて、割当てたチャネルにより無線基地局と前記移動局との間で通信を行う移動通信システムにおいて、
前記チャネル割当て要求の際に前記移動局から前記チャネル割当て装置に送信した希望するチャネルの品質を示す希望品質情報と、このチャネル割当て要求に対して前記チャネル割当て装置が当該移動局に実際に割当てたチャネルの品質を示す実品質情報とを当該チャネルの通信エリアに対応させて履歴情報として記録する情報保持手段を有し、
前記チャネル割当て装置は、前記移動局からチャネル割当て要求を受信したときに、前記情報保持手段に記録されている当該移動局の通信エリアに対応する前記履歴情報の希望品質情報と実品質情報とを参照にして品質を制限して、チャネルを割当てること
を特徴とする移動通信システム。
【請求項１８】
前記情報保持手段は、前記チャネル割当て装置が備えており、
前記チャネル割当て装置は、前記移動局からチャネル割当て要求とともに送信されてくる前記希望品質情報を前記情報保持手段に記録することを特徴とする請求項１７記載の移動通信システム。
【請求項１９】
前記情報保持手段は、前記移動局が備えており、
前記移動局は、前記希望品質情報を前記チャネル割当て装置に送信するともに、前記情報保持手段に記録することを特徴とする請求項１７記載の移動通信システム。
【請求項２０】
前記品質は、通信において使用者の満足度を示す指標となる情報であることを特徴とする請求項１７乃至１９のいずれかに記載の移動通信システム。
【請求項２１】
複数の通信エリアのそれぞれで移動局が無線基地局との間で通信可能とされており、前記移動局が無線基地局との間で通信を行うためのチャネル割当て要求を前記移動局がチャネル割当て装置にして、前記チャネル割当て装置がチャネル割当て要求に応じて当該移動局にチャネルを割当てる通信チャネル割当方法において、
前記チャネル割当て要求の際に前記移動局から前記チャネル割当て装置に送信した希望するチャネルの品質を示す希望品質と、このチャネル割当て要求に対して前記チャネル割当て装置が当該移動局に実際に割当てたチャネルの品質を示す実品質情報とを当該チャネルの通信エリアに対応させて履歴情報として情報保持手段に記録し、
前記チャネル割当て装置では、前記移動局からチャネル割当て要求を受信したときに、前記情報保持手段に記録されている当該移動局の通信エリアに対応する前記履歴情報の希望品質情報と実品質情報とを参照にして品質を制限して、チャネルを割当てること
を特徴とする通信チャネル割当方法。
【請求項２２】
前記品質は、通信において使用者の満足度を示す指標となる情報であることを特徴とする請求項２１記載の通信チャネル割当方法。
【請求項２３】
移動局が無線基地局との間で通信を行うための当該移動局からのチャネル割当て要求に応じて当該移動局にチャネルを割当てるチャネル割当て装置であって、
前記移動局からチャネル割当て要求を受信したときに、前記チャネル割当て要求の際に前記移動局から前記チャネル割当て装置に送信した希望するチャネルの品質を示す希望品質情報と、このチャネル割当て要求に対して前記チャネル割当て装置が当該移動局に実際に割当てたチャネルの品質を示す実品質情報とが当該チャネルの通信エリアに対応されて記録されている履歴情報の前記移動局の通信エリアに対応する希望品質情報と実品質情報とを参照にして品質を制限して、チャネルを割当てること
を特徴とするチャネル割当て装置。
【請求項２４】
前記履歴情報を情報保持手段に保持していることを特徴とする請求項２３記載のチャネル割当て装置。
【請求項２５】
前記品質は、通信において使用者の満足度を示す指標となる情報であることを特徴とする請求項２３又は２４に記載のチャネル割当て装置。
【請求項２６】
複数の通信エリアのそれぞれで移動局が無線基地局との間で通信可能とされており、前記移動局が前記チャネル割当て装置にチャネル割当て要求して、前記チャネル割当て装置がチャネル割当て要求に応じて当該移動局にチャネルを割当てて、割当てたチャネルにより無線基地局と前記移動局との間で通信を行う移動通信システムに備えられ、
前記チャネル割当て要求の際に前記移動局から前記チャネル割当て装置に送信した希望するチャネルの品質を示す希望品質情報と、このチャネル割当て要求に対して前記チャネル割当て装置が当該移動局に実際に割当てたチャネルの品質を示す実品質情報とを当該チャネルの通信エリアに対応させて履歴情報として情報保持手段に記録すること
を特徴とする情報管理装置。
【発明の詳細な説明】
【０００１】
【発明の属する技術分野】
本発明は、無線基地局と移動局との間で通信を行う際のチャネルを割当てるための移動通信システム、通信チャネル割当方法、チャネル割当て装置及びそのようなチャネルの割当てのために使用する情報を管理する情報管理装置に関する。
【０００２】
【従来の技術】
従来の移動体通信におけるチャネル割当ては、チャネル割当て要求の発生時に、空きチャネルをランダム、或いはチャネル固有の優先順位に基づいて割当てていく方法や、移動局における測定情報や基地局における測定情報を加味して所要品質を満たすか否かによって割当てるチャネルを決定するという方法がある。ここで、測定情報としては、干渉量や受信品質等の情報が挙げられる。
【０００３】
【発明が解決しようとする課題】
このように、従来のチャネル割当て方法では、チャネル割当てには、呼が発生した時点での空きチャネル状況や測定情報のみを加味しているだけである。よって、トラヒックが逼迫してくると、呼が発生した順にユーザの希望する品質を得られなくなってしまうという問題が発生する。すなわち、呼の順番が後である程、品質は悪くなる。このように呼が発生した順にユーザの希望する品質が得られなくなってしまうと、サービスに対するユーザ満足度が低下してしまう。
【０００４】
そこで、本発明は、このような問題に鑑みてなされたものであり、ユーザの満足度を向上させることができる移動通信システム、通信チャネル割当方法、チャネル割当て装置及び情報管理装置の提供を目的としている。
【０００５】
【課題を解決するための手段】
前記問題を解決するために、請求項１に記載の発明に係る移動通信システムは、移動局がチャネル割当て装置にチャネル割当て要求をして、前記チャネル割当て装置がチャネル割当て要求に応じて当該移動局にチャネルを割当てて、割当てたチャネルにより無線基地局と前記移動局との間で通信を行う移動通信システムである。
【０００６】
この移動通信システムは、前記チャネル割当て要求の際に前記移動局から前記チャネル割当て装置に送信した希望するチャネルの品質を示す希望品質情報と、このチャネル割当て要求に対して前記チャネル割当て装置が当該移動局に実際に割当てたチャネルの品質を示す実品質情報とを対応させて履歴情報として記録する情報保持手段を有し、前記チャネル割当て装置が、前記移動局からチャネル割当て要求を受信したときに、前記情報保持手段に記録されている履歴情報の希望品質情報と実品質情報とを参照して、前記チャネル割当て要求とともに送信されてきた前記希望品質情報に対する目標品質を決定して、この目標品質のチャネルを割当てることを特徴としている。
【０００７】
また、請求項２に記載の発明に係る移動通信システムは、請求項１記載の発明に係る移動通信システムにおいて、前記履歴情報の希望品質情報と実品質情報とを参照して、当該履歴情報の希望品質情報と実品質情報との差の総和に、前記チャネル割当て要求とともに送信されてきた前記希望品質情報と前記目標品質を示す目標品質情報との差を加えた値の平均値が所定値になるような、前記目標品質を決定することを特徴としている。
【０００８】
また、請求項３に記載の発明に係る移動通信システムは、請求項１又は２に記載の発明に係る移動通信システムにおいて、前記情報保持手段を、前記チャネル割当て装置が備えており、前記チャネル割当て装置が、前記移動局からチャネル割当て要求とともに送信されてくる前記希望品質情報を前記情報保持手段に記録することを特徴としている。
また、請求項４に記載の発明に係る移動通信システムは、請求項１乃至３のいずれかに記載の発明に係る移動通信システムにおいて、前記情報保持手段を、前記移動局が備えており、前記移動局が、前記希望品質情報を前記チャネル割当て装置に送信するともに、前記情報保持手段に記録することを特徴としている。
【０００９】
また、請求項５に記載の発明に係る移動通信システムは、請求項２乃至４のいずれかに記載の発明に係る移動通信システムにおいて、前記所定値が、前記情報保持手段に記録されている他の移動局の履歴情報の希望品質情報と実品質情報との差の総和の平均値であることを特徴としている。
また、請求項６に記載の発明に係る請求項１乃至５のいずれかに記載の発明に係る移動通信システムにおいて、前記品質が、通信において使用者の満足度を示す指標となる情報であることを特徴としている。
【００１０】
また、請求項７に記載の発明に係る通信チャネル割当方法は、移動局が無線基地局との間で通信を行うためのチャネル割当て要求を前記移動局が前記チャネル割当て装置にして、前記チャネル割当て装置が前記チャネル割当て要求に応じて当該移動局にチャネルを割当てる通信チャネル割当方法である。
この通信チャネル割当方法は、前記チャネル割当て要求の際に前記移動局から前記チャネル割当て装置に送信した希望するチャネルの品質を示す希望品質情報と、このチャネル割当て要求に対して前記チャネル割当て装置が当該移動局に実際に割当てたチャネルの品質を示す実品質情報とを対応させて履歴情報として情報保持手段に記録し、前記チャネル割当て装置では、前記移動局からチャネル割当て要求を受信したときに、前記情報保持手段に記録されている履歴情報の希望品質情報と実品質情報とを参照して、前記チャネル割当て要求とともに送信されてきた前記希望品質情報に対する目標品質を決定して、この目標品質のチャネルを割当てることを特徴としている。
【００１１】
また、請求項８に記載の発明に係る通信チャネル割当方法は、請求項７記載の発明に係る通信チャネル割当方法において、前記履歴情報の希望品質情報と実品質情報とを参照して、当該履歴情報の希望品質情報と実品質情報との差の総和に、前記チャネル割当て要求とともに送信されてきた前記希望品質情報と前記目標品質を示す目標品質情報との差を加えた値の平均値が所定値になるような、前記目標品質を決定することを特徴としている。
【００１２】
また、請求項９に記載の発明に係る通信チャネル割当方法は、請求項８に記載の発明に係る通信チャネル割当方法において、前記所定値が、前記情報保持手段に記録されている他の移動局の履歴情報の希望品質と実品質との差の総和の平均値であることを特徴としている。
また、請求項１０に記載の発明に係る通信チャネル割当方法は、請求項７乃至９のいずれかに記載の発明に係る通信チャネル割当方法において、前記品質が、通信において使用者の満足度を示す指標となる情報であることを特徴としている。
【００１３】
また、請求項１１に記載の発明に係るチャネル割当て装置は、移動局が無線基地局との間で通信を行うための当該移動局からのチャネル割当て要求に応じて当該移動局にチャネルを割当てるチャネル割当て装置である。
このチャネル割当て装置は、前記移動局からチャネル割当て要求を受信したときに、前記チャネル割当て要求の際に前記移動局が送信した希望するチャネルの品質を示す希望品質情報と、このチャネル割当て要求に対して当該移動局が実際に割当てられたチャネルの品質を示す実品質情報とが対応させて記録されている履歴情報の前記希望品質情報と前記実品質情報とを参照して、前記チャネル割当て要求とともに送信されてきた前記希望品質情報に対する目標品質を決定して、この目標品質のチャネルを割当てることを特徴としている。
【００１４】
また、請求項１２に記載の発明に係るチャネル割当て装置は、請求項１１記載の発明に係るチャネル割当て装置において、前記履歴情報の希望品質情報と実品質情報とを参照して、当該履歴情報の希望品質情報と実品質情報との差の総和に、前記チャネル割当て要求とともに送信されてきた前記希望品質情報と前記目標品質を示す目標品質情報との差を加えた値の平均値が所定値になるような、前記目標品質を決定することを特徴としている。
【００１５】
また、請求項１３に記載の発明に係るチャネル割当て装置は、請求項１１又は１２に記載の発明に係るチャネル割当て装置において、前記履歴情報を保持していることを特徴とする。
また、請求項１４に記載の発明に係るチャネル割当て装置は、請求項１２又は１３に記載の発明に係るチャネル割当て装置において、前記所定値が、他の移動局の履歴情報の希望品質情報と実品質情報との差の総和の平均値であることを特徴としている。
【００１６】
また、請求項１５に記載の発明に係るチャネル割当て装置は、請求項１１乃至１４のいずれかに記載の発明に係るチャネル割当て装置において、前記品質が、通信において使用者の満足度を示す指標となる情報であることを特徴としている。
また、請求項１６に記載の発明に係る情報管理装置は、移動局がチャネル割当て装置にチャネル割当て要求をして、前記チャネル割当て装置がチャネル割当て要求に応じて当該移動局にチャネルを割当てて、割当てたチャネルにより無線基地局と前記移動局との間で通信を行う移動通信システムに備えられ、前記チャネル割当て要求の際に前記移動局から前記チャネル割当て装置に送信した希望するチャネルの品質を示す希望品質情報と、このチャネル割当て要求に対して前記チャネル割当て装置が当該移動局に実際に割当てたチャネルの品質を示す実品質情報とを対応させて履歴情報として情報保持手段に記録することを特徴としている。
【００１７】
また、請求項１７に記載の発明に係る移動通信システムは、複数の通信エリアのそれぞれで移動局が無線基地局との間で通信可能とされており、前記移動局が前記チャネル割当て装置にチャネル割当て要求して、前記チャネル割当て装置がチャネル割当て要求に応じて当該移動局にチャネルを割当てて、割当てたチャネルにより無線基地局と前記移動局との間で通信を行う移動通信システムである。この移動通信システムは、前記チャネル割当て要求の際に前記移動局から前記チャネル割当て装置に送信した希望するチャネルの品質を示す希望品質情報と、このチャネル割当て要求に対して前記チャネル割当て装置が当該移動局に実際に割当てたチャネルの品質を示す実品質情報とを当該チャネルの通信エリアに対応させて履歴情報として記録する情報保持手段を有し、前記チャネル割当て装置が、前記移動局からチャネル割当て要求を受信したときに、前記情報保持手段に記録されている当該移動局の通信エリアに対応する前記履歴情報の希望品質情報と実品質情報とを参照にして品質を制限して、チャネルを割当てることを特徴としている。
【００１８】
また、請求項１８に記載の発明に係る移動通信システムは、請求項１７記載の発明に係る移動通信システムにおいて、前記情報保持手段を、前記チャネル割当て装置が備えており、前記チャネル割当て装置が、前記移動局からチャネル割当て要求とともに送信されてくる前記希望品質情報を前記情報保持手段に記録することを特徴としている。
また、請求項１９に記載の発明に係る移動通信システムは、請求項１７記載の発明に係る移動通信システムにおいて、前記情報保持手段を、前記移動局が備えており、前記移動局が、前記希望品質情報を前記チャネル割当て装置に送信するともに、前記情報保持手段に記録することを特徴としている。
【００１９】
また、請求項２０に記載の発明に係る移動通信システムは、請求項１７乃至１９のいずれかに記載の発明に係る移動通信システムにおいて、前記品質が、通信において使用者の満足度を示す指標となる情報であることを特徴としている。
また、請求項２１に記載の発明に係る通信チャネル割当方法は、複数の通信エリアのそれぞれで移動局が無線基地局との間で通信可能とされており、前記移動局が無線基地局との間で通信を行うためのチャネル割当て要求を前記移動局がチャネル割当て装置にして、前記チャネル割当て装置がチャネル割当て要求に応じて当該移動局にチャネルを割当てる通信チャネル割当方法である。
【００２０】
この通信チャネル割当方法は、前記チャネル割当て要求の際に前記移動局から前記チャネル割当て装置に送信した希望するチャネルの品質を示す希望品質と、このチャネル割当て要求に対して前記チャネル割当て装置が当該移動局に実際に割当てたチャネルの品質を示す実品質情報とを当該チャネルの通信エリアに対応させて履歴情報として情報保持手段に記録し、前記チャネル割当て装置では、前記移動局からチャネル割当て要求を受信したときに、前記情報保持手段に記録されている当該移動局の通信エリアに対応する前記履歴情報の希望品質情報と実品質情報とを参照にして品質を制限して、チャネルを割当てることを特徴としている。
【００２１】
また、請求項２２に記載の発明に係る通信チャネル割当方法は、請求項２１記載の発明に係る通信チャネル割当方法において、前記品質が、通信において使用者の満足度を示す指標となる情報であることを特徴としている。
また、請求項２３に記載の発明に係るチャネル割当て装置は、移動局が無線基地局との間で通信を行うための当該移動局からのチャネル割当て要求に応じて当該移動局にチャネルを割当てるチャネル割当て装置である。
【００２２】
このチャネル割当て装置は、前記移動局からチャネル割当て要求を受信したときに、前記チャネル割当て要求の際に前記移動局から前記チャネル割当て装置に送信した希望するチャネルの品質を示す希望品質情報と、このチャネル割当て要求に対して前記チャネル割当て装置が当該移動局に実際に割当てたチャネルの品質を示す実品質情報とが当該チャネルの通信エリアに対応されて記録されている履歴情報の前記移動局の通信エリアに対応する希望品質情報と実品質情報とを参照にして品質を制限して、チャネルを割当てることを特徴としている。
【００２３】
また、請求項２４に記載の発明に係るチャネル割当て装置は、請求項２３記載の発明に係るチャネル割当て装置において、前記履歴情報を情報保持手段に保持していることを特徴としている。
また、請求項２５に記載の発明に係るチャネル割当て装置は、請求項２３又は２４に記載の発明に係るチャネル割当て装置において、前記品質が、通信において使用者の満足度を示す指標となる情報であることを特徴としている。
【００２４】
また、請求項２６に記載の発明に係る情報管理装置は、複数の通信エリアのそれぞれで移動局が無線基地局との間で通信可能とされており、前記移動局が前記チャネル割当て装置にチャネル割当て要求して、前記チャネル割当て装置がチャネル割当て要求に応じて当該移動局にチャネルを割当てて、割当てたチャネルにより無線基地局と前記移動局との間で通信を行う移動通信システムに備えられ、前記チャネル割当て要求の際に前記移動局から前記チャネル割当て装置に送信した希望するチャネルの品質を示す希望品質情報と、このチャネル割当て要求に対して前記チャネル割当て装置が当該移動局に実際に割当てたチャネルの品質を示す実品質情報とを当該チャネルの通信エリアに対応させて履歴情報として情報保持手段に記録することを特徴としている。
【００２５】
ここで、請求項１，２，３，７及び８に記載の発明では、チャネル割当て要求の際に移動局からチャネル割当て装置に送信した希望するチャネルの品質を示す希望品質情報と、このチャネル割当て要求に対してチャネル割当て装置が移動局に実際に割当てたチャネルの品質を示す実品質情報とを対応させて履歴情報として情報保持手段に記録している。
そして、請求項１及び７に記載の発明では、チャネル割当て装置は、移動局から最新のチャネル割当て要求を受信したときに、情報保持手段に記録されている履歴情報の希望品質情報と実品質情報とを参照して、チャネル割当て要求とともに送信されてきた希望品質情報に対する目標品質を決定して、この目標品質のチャネルを割当てている。すなわち、履歴情報の希望品質情報と実品質情報とを参照して、今回送られてきた希望品質情報を基準において目標品質を決定して、この目標品質のチャネルを割当てている。また、チャネル割当て装置に係る請求項１１に記載の発明も同様である。
【００２６】
また、請求項２及び８に記載の発明では、チャネル割当て装置は、履歴情報の希望品質情報と実品質情報との差の総和に、チャネル割当て要求とともに送信されてきた希望品質情報と目標品質を示す目標品質情報との差を加えた値の平均値が所定値になるような、目標品質のチャネルの割当てを行う。すなわち、過去及び今回のチャネル割当てから、希望品質情報と実品質情報との差の平均値が所定値になるように今回のチャネルの品質を決定して、チャネル割当てを行っている。また、チャネル割当て装置に係る請求項１２に記載の発明も同様である。
【００２７】
ここで、請求項３に記載の発明では、情報保持手段をチャネル割当て装置が備え、請求項４に記載の発明では、情報保持手段を移動局が備えている。また、チャネル割当て装置に係る請求項１３記載の発明では、チャネル割当て装置が履歴情報を保持している。
さらに、請求項５，９及び１４に記載の発明では、所定値を他の移動局の履歴情報の希望品質情報と実品質情報との差の総和の平均値としている。これにより、チャネル割当て対象としている移動局の平均値が、他の移動局の履歴情報の希望品質情報と実品質情報との差の総和の平均値になるように、移動局に割当てるチャネルを決定する。すなわち、他の移動局の前記平均値を目標として、希望品質と実品質の過去のものを含めた相関の平均値が高くなるように、チャネル割当てを行っている。
【００２８】
また、請求項６，１０及び１５に記載の発明では、品質が通信において使用者の満足度を示す指標となる情報である。ここで、この通信において使用者の満足度を示す指標となる情報としては、チャネルのデータ転送速度、干渉レベル、音質、ＢＬＥＲ（Block Error Rate）、ＳＩＲ（信号電力対干渉電力比）等が挙げられる。すなわち例えば、前記品質がデータ転送速度そのものである場合には、希望品質情報と実品質情報との差は、希望するチャネルのデータ転送速度と、実際に割当てたデータ転送速度との差になる。
【００２９】
また、請求項１７，１８，１９及び２１に記載の発明では、チャネル割当て要求の際に移動局からチャネル割当て装置に送信した希望するチャネルの品質を示す希望品質情報と、このチャネル割当て要求に対してチャネル割当て装置が当該移動局に実際に割当てたチャネルの品質を示す実品質情報とを当該チャネルの通信エリアに対応させて履歴情報として情報保持手段に記録している。そして、チャネル割当て装置では、移動局からチャネル割当て要求を受信したときに、移動局の通信エリアに対応する履歴情報の希望品質情報と実品質情報とを参照にして品質を制限して、チャネルを割当てている。
【００３０】
例えば、複数の通信エリアにおいて移動局が通信可能とされている移動通信システムでは、移動局の通信の利用形態が各通信エリアで異なる場合がある。すなわち、移動通信システムでは、エリア固有なものとしてトラフィック特性が発生している場合がある。例えば、ある通信エリアでは、一定のデータ量の通信しかなされなかったり、呼が頻繁になされるような場合である。このような場合には、そのようなエリア固有のトラヒック特性を考慮して、最適な品質を提供しさえすればよい。
【００３１】
このようなことから、請求項１７，１８，１９及び２１に記載の発明では、移動局の通信エリアに対応する履歴情報の希望品質情報と実品質情報とを参照にして品質を制限して、チャネルを割当てている。例えば、実品質情報から前述したようなエリア固有のトラヒック特性を得て、これを参照して、希望品質情報にみあうチャネルを割当てる。また、チャネル割当て装置に係る請求項２３記載の発明でも同様である。
【００３２】
また、請求項１８に記載の発明では、情報保持手段をチャネル割当て装置が備え、請求項１９に記載の発明では、情報保持手段を移動局が備えている。また、チャネル割当て装置に係る請求項２４記載の発明では、チャネル割当て装置が履歴情報を保持している。
また、請求項２０，２２及び２５に記載の発明では、品質が通信において使用者の満足度を示す指標となる情報である。ここで、この通信において使用者の満足度を示す指標となる情報としては、チャネルのデータ転送速度、干渉レベル、音質、ＢＬＥＲ（Block Error Rate）、ＳＩＲ（信号電力対干渉電力比）等が挙げられる。
【００３３】
また、請求項１６に記載の発明では、情報管理装置が、前記希望品質情報と、実品質情報とを対応させて履歴情報として記録保持手段に記録している。さらに、請求項２６に記載の発明では、情報管理装置が、前記希望品質情報と、前記実品質情報とをチャネルの通信エリアに対応させて履歴情報として情報保持手段に記録している。この請求項１６及び２６に記載の発明では、情報管理装置により、そのような有用な情報を管理している。
【００３４】
【発明の実施の形態】
以下、本発明の実施の形態を図面を参照しながら詳細に説明する。
第１の実施の形態は、複数の移動機と１つ或いは複数の基地局との間で通信を行う移動通信システムに本発明を適用したものである。
図１は、移動通信システムの構成を示す。図１に示すように、移動通信システムでは、移動局である移動機１０が無線基地局である基地局１５と無線による通信をすることができる。そして、基地局１５は、無線制御装置２０を介してネットワーク１００に接続されている。この移動通信システムでは、移動機１０が基地局１５を介して無線制御装置２０にチャネル割当て要求をして、当該無線制御装置２０がチャネル割当て要求に応じて当該移動機１０にチャネルを割当てて、割当てたチャネルにより基地局１５と移動機１０との間で通信を行う。
【００３５】
移動機１０は、基地局１５を介して無線制御装置２０との間で通信をすることができるように構成されている。この移動機１０は、発呼の際に、基地局１５を介して無線制御装置２０にチャネル割当て要求とともに希望するチャネルの品質を示す希望品質情報やデータ量の情報等の通信に必要な各種情報を送る。
無線制御装置２０は、図２に示すように、チャネル割当て制御をするためのチャネル割当て装置３０を備えている。さらに、チャネル割当て装置３０は、チャネル割当て管理部３１、空きチャネル管理データベース３２及びユーザチャネル割当て管理装置４０を備えている。ここで、チャネル割当て装置３０は、移動局１０からチャネル割当て要求を受信したときに、情報保持手段である後述のユーザチャネル割当て履歴保存部４２に記録されている履歴情報の希望品質情報と実品質情報との差の総和に、前記チャネル割当て要求とともに送信されてきた前記希望品質情報と割当てるべきチャネルの目標品質を示す目標品質情報との差を加えた値の平均値が所定値になるような、前記目標品質のチャネルを割当てるように構成されている。以下、チャネル割当て装置３０の各部を説明する。
【００３６】
空きチャネル管理データベース３２には、空き状態にあるチャネルの情報が格納されている。チャネル割当て管理部３１は、この空きチャネル管理データベース３２に格納されている情報に基づいて、移動機１０に割当てる最適なチャネルを選択する。
具体的には、チャネル割当て管理部３１は、空きチャネルをランダム、或いはチャネル固有の優先順位に基づいて割当てていく方法や、移動機１０における測定情報や基地局における測定情報を加味して所要品質を満たすか否かによって割当てるチャネルを決定するという方法等、従来から提案されているチャネル割当て方法によりチャネルを割当てるようにする。ここで、測定情報としては、干渉量や受信品質等の情報が挙げられる。
【００３７】
ユーザチャネル割当て管理装置４０は、チャネル割当て要求の際に移動機１０からチャネル割当て装置３０に送信した希望するチャネルの品質を示す希望品質情報と、このチャネル割当て要求に対してチャネル割当て装置３０が当該移動局１０に実際に割当てたチャネルの品質を示す実品質情報とを対応させて履歴情報として情報保持手段であるユーザチャネル割当て履歴保存部４２に記録する情報管理装置、例えば情報管理サーバであり、移動機１０に割当てたチャネルに関する各種情報を管理している。
【００３８】
具体的には、ユーザチャネル割当て管理装置４０は、ユーザチャネル割当て履歴管理部４１及びユーザチャネル割当て履歴保存部４２を備えている。
ユーザチャネル割当て履歴保存部４２には、移動機１０に割当てたチャネルに関する各種情報が格納されており、ユーザチャネル割当て履歴管理部４１は、このユーザチャネル割当て履歴保存部４２に格納される情報を管理している。すなわち例えば、ユーザチャネル割当て履歴管理部４１は、チャネル割当て管理部３１からの情報に基づいて、移動機１０に割当てたチャネルをユーザチャネル割当て履歴保存部４２に記録したり、或いはユーザチャネル割当て履歴保存部４２に記録されている情報をチャネル割当て管理部３１に送信したりする。
【００３９】
ユーザチャネル割当て履歴保存部４２に格納される情報は、具体的には、移動機１０が発呼した際に要求した割当て要求情報と、その割当て要求情報に対して実際に割当てたチャネルの割当て情報からなる。ここで、要求情報は、品質、データ量等であり、前記希望品質情報が含まれている。また、割当て情報は、前記実品質情報であり、実際に割当てたチャネルのデータ転送速度等である。そして、この要求情報と割当て情報とは対応付けされて、履歴情報の形態としてユーザチャネル割当て履歴保存部４２に記録されている。
【００４０】
図３は、そのような履歴情報の例を示す。図３に示すように、履歴情報は、発呼日時、データ量、転送速度の項目のデータからなる。ここで、データ量は移動機１０からの要求情報に含まれていた情報であり、データ転送速度はチャネル割当て装置３０が実際に割当てたチャネルの品質を示す情報である。
このような履歴情報の場合、例えば、移動機１０からのデータ転送速度についての割当て要求が１２８ｋbpsに相当するものであったときには、過去の全ての通信におけるチャネル割当てにおいてその要求より下回るデータ転送速度のチャネルしか割当てられていないことになり、すなわち、この場合、移動機１０では、希望の品質が得られていないことになる。
【００４１】
ユーザチャネル割当て管理装置４０は、以上のような要求情報と割当て情報とを対応付けした履歴情報を、ユーザチャネル割当て履歴情報としてチャネル割当て管理部３１に送信している。
次に、この移動通信システムにおけるチャネル割当て手順を説明する。図４は、このチャネル割当て手順を示す。
この図４に示すように、先ず、ステップＳ１において、移動機１０でチャネル割当て要求が発生する。
【００４２】
それと同時に、ステップＳ２において、チャネル割当ての対象となる移動機１０は、割当て要求情報（データ量、希望する品質等）をユーザチャネル割当て履歴管理装置４０に送り、ユーザチャネル割当て管理装置４０は、ステップＳ３において、ユーザチャネル割当て履歴管理部４１により、ユーザチャネル割当て履歴保存部４２にその割当て要求情報を記録する。
一方、チャネル割当て管理部３１は、ステップＳ４において、ユーザチャネル割当て管理装置４０からの移動機１０のユーザチャネル割当て履歴情報が入力される。例えば、チャネル割当て管理部３１は、移動機１０からチャネル割当て要求があったときにユーザチャネル割当て管理装置４０にその移動機１０の履歴情報を要求し、ユーザチャネル割当て管理装置４０は、その要求に応じてユーザチャネル割当て履歴情報をチャネル割当て管理部３１に出力する。
【００４３】
そして、チャネル割当て管理部３１は、ユーザチャネル割当て履歴情報と、空きチャネル管理データベース３２の空きチャネル情報とに基づいて移動機１０に割当てるチャネルを選択する。
例えば、割当て要求があった移動機１０のユーザチャネル割当て履歴情報が前記図３に示したような情報であった場合のチャネルの選択は以下のようになる。
図３に示したような履歴情報である場合、移動機１０からのデータ転送速度についての割当て要求が１２８ｋbpsであったときには、過去の全ての通信のチャネル割当てにおいて、その要求より下回るデータ転送速度のチャネルの割当てしか実現されていないことになる。すなわち、希望品質情報である１２８ｋbpsのデータ転送速度と実品質情報である実際に割当てたチャネルのデータ転送速度との差の総和が大きくなっている。これでは、移動機１０では、希望品質が得られていないことになる。
【００４４】
このようなことから、チャネル割当て管理部３１は、今回の希望品質に近いチャネルを割当てるようにする。具体的には、前記の差の総和に、希望するチャネルの品質（例えば、１２８ｋbpsのデータ転送速度）と今回実際に割当てるべきチャネルの品質との差を加えた値の平均値が、所定値になる品質のチャネルを割当てるようにする。ここで、所定値とは、例えば、ユーザチャネル割当て履歴保存部４２に記録されている他の移動局の履歴情報の希望品質情報と実品質情報との差の総和の平均値である。
【００４５】
チャネル割当て管理部３１は、このようにして今回の希望品質に近いチャネルを割当てるようにする。そして、チャネル割当て管理部３１は、空きチャネル管理データベース３２の空きチャネル情報に基づいて、移動機１０に割当てる最適なチャネルを優先的に決定する。
また、空きチャネル管理データベース３２の空きチャネル情報に基づくチャネル割当てについては、前述したように従来より提案されている測定情報に基づいて行うようにする。
【００４６】
このようにして移動機１０に割当てるチャネルを決定した後、ステップＳ６において、ユーザチャネル履歴管理装置４０では、そのように決定したチャネルの品質を、ユーザチャネル割当て履歴保存部４２に履歴情報として記録する。
なお、この移動通信システムにおける無線制御装置２０の具体的な構成としては、図５に示すような構成が挙げられる。無線制御装置２０は、図５に示すように、チャネル割当て装置３０とともに制御部２１を備えて構成されている。このような構成により、無線制御装置２０は、制御部２１によりチャネル割当て装置３０を制御することができる。
【００４７】
以上、本発明を適用した第１の実施の形態の移動通信システムについての説明である。
前述したように、移動通信システムでは、履歴情報により求められる希望品質情報と実品質情報との差の総和に、今回希望するチャネルの品質と今回実際に割当てるべきチャネルの品質との差を加えた値の平均値が、所定値になる品質のチャネルを割当ている。
【００４８】
これにより、前記平均値と所定値に差があり、その平均値からみて所定値の方が品質を良くするような値であった場合には、過去のチャネル割当てにおいて、要求したデータ転送速度等の品質を得ることができなかったことが多かった場合であり、このような場合に、移動通信システムは、今回のチャネル割当てでは優先的に要求する品質に近い或いはそれ以上の品質のチャネルを割当てている。これにより、通信に利用されるリソース（周波数等）が逼迫している場合でも、移動機１０は、希望する品質のチャネルの割当てがなされるようになる。
【００４９】
また、さらに前記所定値が、ユーザチャネル割当て履歴保存部４２に記録されている他の移動局の履歴情報の希望品質情報と実品質情報との差の総和の平均値である場合には、移動通信システムを利用しているユーザに提供されているチャネルの品質の平均値を目標とした品質のチャネルの選択がなされるようになるので、その結果、当該移動通信システムのユーザ全体について一定にすることができるようになり、全体的なユーザの満足度を向上させることができる。
【００５０】
換言すれば、品質をユーザ満足度の指標として、この指標に基づいてユーザ満足度が向上されるようにしながらも、ユーザ全体でみた満足度が向上されるように、或いは希望品質と実品質の過去のものを含めた相関の平均値が高くなるように、一のユーザの移動機１０へのチャネル割当てを行っている。
次に、第２の実施の形態を説明する。この第２の実施の形態は、通信エリア内のトラヒック特性を加味してチャネル割当てを行うように構成されている移動通信システムである。すなわち、通信エリア毎にトラヒックのユーザ（移動機１０）の利用態様が異なる場合があり、このようなトラヒック特性を加味してチャネル割当てを行っている。ここで、通信エリアとは、例えば、セル或いはセクタ等といったチャネル割り当てを行う通信可能領域の単位である。
【００５１】
図６は、第２の実施の形態の移動通信システムの構成を示す。図６に示すように、移動通信システムでは、チャネル割当て装置３０にエリア固有チャネル割当て管理装置５０を備えている。
なお、移動通信システムでは、前記図１に示したように、移動局である移動機１０が基地局１５と無線による通信をすることができ、基地局１５が無線制御装置２０を介してネットワーク１００に接続されている構成になっている。すなわち、移動機１０が基地局１５を介して無線制御装置２０にチャネル割当て要求をして、当該無線制御装置２０がチャネル割当て要求に応じて当該移動機１０にチャネルを割当てて、割当てたチャネルにより基地局１５と移動機１０との間で通信を行うようになっている。また、移動機１０、チャネル割当て管理部３１及び空きチャネル管理データベース３２の構成及びその動作については言及しない限り、前記第１の実施の形態の説明と同じである。
【００５２】
エリア固有チャネル割当て管理装置５０は、チャネル割当て要求の際に移動機１０からチャネル割当て装置３０に送信した希望品質情報と実品質情報とを対応させて履歴情報として情報保持手段であるエリア固有のチャネル割当て履歴保存部５２に記録する情報管理装置、例えば情報管理サーバである。
具体的には、エリア固有チャネル割当て管理装置５０は、エリア固有のチャネル割当て履歴管理部５１及びエリア固有のチャネル割当て履歴保存部５２を備えている。
【００５３】
エリア固有チャネル割当て履歴保存部５２には、移動機１０が在圏するエリア固有のチャネル割当て履歴が格納されており、エリア固有チャネル割当て履歴管理部５１は、このエリア固有チャネル割当て履歴保存部５２に格納される情報を管理している。すなわち例えば、エリア固有チャネル割当て履歴管理部５１は、チャネル割当て管理部３１からの情報に基づいて、移動機１０に割当てたチャネルをエリア固有チャネル割当て履歴保存部５２に記録したり、或いはエリア固有チャネル割当て履歴保存部５２に記録されている情報をチャネル割当て管理部３１に送信したりする。
【００５４】
エリア固有チャネル割当て履歴保存部５２に格納される情報は、具体的には、移動機１０が発呼した際に要求した割当て要求情報と、その割当て要求情報に対して実際に割当てたチャネルの割当て情報とからなる。ここで、要求情報は、品質、データ量等であり、前記希望品質情報が含まれている。また、割当て情報は、前記実品質情報であり、実際に割当てたチャネルのデータ転送速度等である。そして、この要求情報と割当て情報とは対応付けされて、履歴情報の形態としてユーザチャネル割当て履歴保存部４２に記録されている。さらに、そのような履歴情報は、通信エリアに対応されて記録されている。すなわち、履歴情報は、エリア固有の情報として記録されている。
【００５５】
図７は、移動機１０に対するエリア固有のチャネル割当て履歴情報を示す。図７に示すように、履歴情報は、発呼日時、データ量、転送速度の項目のデータからなる。ここで、データ量は移動機１０からの要求情報に含まれていた情報であり、データ転送速度はチャネル割当て装置３０が実際に割当てたチャネルの品質を示す情報である。
エリア固有のチャネル割当て管理装置５０は、以上のような要求情報と割当て情報とを対応付けした履歴情報を、エリア固有のチャネル割当て履歴情報としてチャネル割当て装置３０に送信している。
【００５６】
チャネル割当て装置３０のチャネル割当て管理部３１では、チャネル割当てをする際には、空きチャネル管理データベースに３２に格納されている空きチャネル情報の他に、エリア固有のチャネル割当て管理装置５０から送信されてくるエリア固有のチャネル割当て履歴情報をも参照してチャネル割当てを行っている。例えば、エリア固有のチャネル割当て履歴情報からは、そのエリアにおける移動機１０の呼の発生頻度やその呼に対応してなされている割当て要求情報（例えば、データ量）がわかる。チャネル割当て管理部３１は、そのようなエリア固有のチャネル割当て履歴の内容に基づいてチャネル割当てを行う。
【００５７】
例えば、図７に示すような履歴情報の場合には、当該履歴情報に対応するエリアでは、呼の発生数が多く、送信データ量が平均１０数ｋbyteであることがわかる。
このような履歴情報に基づいて、チャネル割当て管理部３１は、該エリアにおける移動機１０への割当てるチャネルの品質を決定している。例えば、データ転送速度の上限を１２８ｋbyteとして、当該移動機１０に割当てるチャネルを決定する。
【００５８】
図８は、この第２の実施の形態の移動通信システムにおけるチャネル割当て手順を示す。
この図８に示すように、先ず、ステップＳ１１において、移動機１０でチャネル割当て要求が発生する。
続くステップＳ１２において、チャネル割当て管理部３１は、エリア固有チャネル割当て管理装置５０からの移動機１０のエリア固有のチャネル割当て履歴情報が入力される。例えば、チャネル割当て管理部３１は、エリア固有チャネル割当て管理装置５０に履歴情報を要求し、エリア固有チャネル割当て管理装置５０は、その要求に応じてエリア固有のチャネル割当て履歴情報をチャネル割当て管理部３１に出力する。
【００５９】
そして、ステップＳ１３において、チャネル割当て管理部３１は、エリア固有チャネル割当て履歴情報から、移動機１０に割当てるチャネルの品質の上限を決定する。
続いて、ステップＳ１４において、チャネル割当て管理部３１は、その決定したチャネルの品質の上限と、空きチャネル管理データベース３２の空きチャネル情報とに基づいて移動機１０に割当てるチャネルを決定する。
【００６０】
このようにして移動機１０に割当てるチャネルを決定した後、ステップＳ１５において、エリア固有ユーザチャネル履歴管理装置４０では、そのように決定したチャネルの品質を、エリア固有のチャネル割当て履歴保存部５２に履歴情報として記録する。
以上、本発明を適用した第２の実施の形態の移動通信システムについての説明である。
【００６１】
前述したように、移動通信システムでは、移動機１０に対応されるエリア固有のチャネル割当て履歴情報に基づいて、品質を制限してチャネル割当てを行っている。すなわち、移動機１０からチャネル割当て要求があった当該通信エリアにおいて、当該移動機１０のデータ量等の履歴情報に基づいて、移動機１０が満足できるような十分な品質を上限値として得て、その上限値内を限度とした品質のチャネルを割当てている。
【００６２】
これにより、移動機１０の希望品質と割当てチャネルの品質の関係を当該移動通信システムのユーザ全体について一定にすることができ、全体的なユーザの満足度を向上させることができる。具体的には、通信に利用されるリソース（周波数等）が逼迫する場合があるが、このような場合でも、全体的なユーザの満足度を向上させることができる。また、このようにユーザが満足できる品質の上限値を定めることで、データ転送速度が必要以上に速くならないようなチャネル割当てがなされるようになるので、トラヒック全体の有効活用が図られるようになる。
【００６３】
例えば、複数の通信エリアにおいて移動局が通信可能とされている移動通信システムでは、移動局の通信の利用形態が各通信エリアで異なる場合がある。すなわち、移動通信システムにおいて、エリア固有なものとしてトラフィック特性が発生している場合がある。例えば、ある通信エリアでは、一定のデータ量の通信しかなされなかったり、呼が頻繁になされるような場合である。このようなことから、第２の実施の形態の移動通信システムでは、エリア固有のトラヒック特性を考慮して、最適な品質を提供さえできればよい、という条件の下で、チャネルの割当てを行っている。これにより、トラヒック全体の有効活用を図り、その結果として、当該移動通信システムを利用しているユーザ全体の満足度を向上させることを実現している。
【００６４】
次に、第３の実施の形態を説明する。この第３の実施の形態は、図９に示すように、前述の第１の実施の形態におけるチャネル割当て装置３０が備えているユーザチャネル割当て管理装置４０と第２の実施の形態にけるチャネル割当て装置３０が備えているエリア固有チャネル割当て管理装置５０との両方をチャネル割当て装置３０が備えている移動通信システムである。すなわち、この第３の実施の形態の移動通信システムでは、チャネル割当て装置３０は、空きチャネル情報の他に、ユーザチャネル割当て管理装置４０が管理しているユーザチャネル割当て履歴情報と、エリア固有チャネル割当て管理装置５０が管理しているエリア固有のチャネル割当て履歴情報とを加味して、チャネル割当てを行っている。
【００６５】
これにより、過去のチャネル割当てにおいて、要求したデータ転送速度等の品質を得ることができなかったことが多かった場合に、今回のチャネル割当てでは優先的に要求する品質に近い或いはそれ以上の品質のチャネルを割当てること、さらには、エリア固有のトラヒック特性を考慮して品質の上限値を設けて、チャネルを割当てることを実現している。すなわち例えば、今回のチャネル割当てでは優先的に要求する品質に近い或いはそれ以上の品質のチャネルを割当てるような場合でも、エリア固有のトラヒック特性を考慮した品質を上限としてチャネル割当てを行っている。
【００６６】
なお、この移動通信システムでは、前記図１に示したように、移動局である移動機１０が基地局１５と無線による通信をすることができ、基地局１５が無線制御装置２０を介してネットワーク１００に接続されている構成になっている。
以上が本発明の実施の形態であるが、本発明は前述の実施の形態に適用されることに限定されるものではない。
すなわち、前述の実施の形態では、移動機１０からチャネル割当て要求を受信したときに、履歴情報の希望品質情報と実品質情報との差の総和に、チャネル割当て要求とともに送信されてきた希望品質情報と割当てるべきチャネルの目標品質を示す目標品質情報との差を加えた値の平均値が所定値になるような、目標品質のチャネルを割当てるようにした場合について説明した。しかし、これに限定されるものではない。
【００６７】
例えば、履歴情報の希望品質情報と実品質情報とを参照して、チャネル割当て要求とともに送信されてきた希望品質情報に対する目標品質を決定して、この目標品質のチャネルを割当てようにしてもよい。すなわち、履歴情報の希望品質情報と実品質情報とを参照して、今回送られてきた希望品質情報を基準において目標品質を決定して、この目標品質のチャネルを割当てるようにする。
また、前述の実施の形態では、移動通信システムがユーザチャネル割当て管理装置４０又はエリア固有チャネル割当て管理装置５０をチャネル割当て装置３０に備えている場合について説明したが、これに限定されるものではない。
【００６８】
例えば、ユーザチャネル割当て管理装置４０又はエリア固有チャネル割当て管理装置５０を、移動機１０が備えるようにしてもよく、すなわち、移動機１０にユーザチャネル割当て管理装置４０又はエリア固有チャネル割当て管理装置５０と同等な機能を持たせるようにしてもよく、或いは情報管理サーバとして独立した形態として備えるようにしてもよい。
また、ユーザチャネル割当て管理装置４０又はエリア固有チャネル割当て管理装置５０を、これらチャネル割当て装置３０や移動機１０以外の装置に備えるようにしてもよい。
【００６９】
また、ユーザチャネル割当て管理装置４０又はエリア固有チャネル割当て管理装置５０を独立した形態として備える場合やチャネル割当て装置３０或いは無線制御装置２０が備える場合に、ユーザチャネル割当て管理装置４０又はエリア固有チャネル割当て管理装置５０を備える場所は限定されるものではない。
また、前述の実施の形態では、チャネル割当てに履歴情報を参照しているが、その履歴情報については所定期間、例えば、最新の一定期間内のものであってもよい。
【００７０】
また、前述の実施の形態では、図３及び図７に示したように、チャネル割当てに参照する情報がデータ量やデータ転送速度である場合について説明したが、品質を評価する他の情報をチャネル割当ての際に参照する情報としてもよい。例えば、音質、ＢＬＥＲ（Block Error Rate）やＳＩＲ（信号電力対干渉電力比）等であってもよい。また、チャネルの品質として挙げたデータ転送速度等は、通信において使用者の満足度からみた指標ともいえるが、一般的な通信の品質を評価する情報ともいえる。よって、チャネルの品質については、使用者の満足度を示す指標を示す情報であることに限定されるものではなく、このように通信の品質を評価する情報等であってもよい。
【００７１】
（通信チャネル割当方法）
以上説明した移動通信システムにおいては、以下のような通信チャネル割当方法が実現されている。
すなわち、移動通信システムでは、チャネル割当て要求の際に移動局からチャネル割当て装置に送信した希望するチャネルの品質を示す希望品質情報と、このチャネル割当て要求に対してチャネル割当て装置が当該移動局に実際に割当てたチャネルの品質を示す実品質情報とを対応させて履歴情報として情報保持手段に記録し、チャネル割当て装置では、移動局からチャネル割当て要求を受信したときに、前記情報保持手段に記録されている履歴情報の希望品質情報と実品質情報とを参照して、チャネル割当て要求とともに送信されてきた希望品質情報に対する目標品質を決定して、この目標品質のチャネルを割当てている。
【００７２】
また、移動通信システムでは、チャネル割当て要求の際に前記移動局からチャネル割当て装置に送信した希望するチャネルの品質を示す希望品質情報と、このチャネル割当て要求に対してチャネル割当て装置が当該移動局に実際に割当てたチャネルの品質を示す実品質情報とを対応させて履歴情報として情報保持手段に記録し、チャネル割当て装置では、移動局からチャネル割当て要求を受信したときに、情報保持手段に記録されている履歴情報の希望品質情報と実品質情報との差の総和に、チャネル割当て要求とともに送信されてきた希望品質情報と割当てるべきチャネルの目標品質を示す目標品質情報との差を加えた値の平均値が所定値になるような、目標品質のチャネルを割当てている。
【００７３】
また、移動通信システムでは、チャネル割当て要求の際に移動局からチャネル割当て装置に送信した希望するチャネルの品質を示す希望品質と、このチャネル割当て要求に対してチャネル割当て装置が当該移動局に実際に割当てたチャネルの品質を示す実品質情報とを当該チャネルの通信エリアに対応させて履歴情報として情報保持手段に記録し、チャネル割当て装置では、移動局からチャネル割当て要求を受信したときに、情報保持手段に記録されている当該移動局の通信エリアに対応する履歴情報の希望品質情報と実品質情報とを参照にして品質を制限して、チャネルを割当てている。
【００７４】
【発明の効果】
以上より、請求項１乃至１５に記載の発明によれば、過去のチャネル割当てを参照して、今回のチャネル割当てを行うことで、ユーザの満足度を向上させることができる。
また、請求項１７乃至２５に記載の発明によれば、エリア固有のトラヒック特性を考慮して、最適な品質のチャネル割当てを行うことができる。
【００７５】
また、請求項１６及び２６に記載の発明によれば、情報管理装置が、希望品質情報と実品質情報とを対応させて履歴情報として記録保持手段に記録しており、すなわち、情報管理装置は最適な品質のチャネルの割当てを可能にする情報を提供するものになる。
【図面の簡単な説明】
【図１】本発明の実施の形態の移動通信システムの構成を示す図である。
【図２】本発明の第１の実施の形態の移動通信システムの詳細の構成を示すブロック図である。
【図３】前記第１の実施の形態の移動通信システムの説明に使用した情報を示す図である。
【図４】前記第１の実施の形態の移動通信システムにおけるチャネル割当て手順を示すフローチャートである。
【図５】前記移動通信システムの無線制御装置の具体的な構成を示すブロック図である。
【図６】本発明の第２の実施の形態の移動通信システムの詳細の構成を示すブロック図である。
【図７】前記第２の実施の形態の移動通信システムの説明に使用した情報を示す図である。
【図８】前記第２の実施の形態の移動通信システムにおけるチャネル割当て手順を示すフローチャートである。
【図９】本発明の第３の実施の形態の移動通信システムの詳細の構成を示すブロック図である。
【符号の説明】
１０  移動機
１５  基地局
２０  無線制御装置
３０  チャネル割当て装置
３１  チャネル割当て管理部
３２  空きチャネル管理データベース
４０  ユーザチャネル割当て管理装置
４１  ユーザチャネル割当て履歴管理部
４２  ユーザチャネル割当て履歴保存部
５０  エリア固有チャネル割当て管理装置
５１  エリア固有のチャネル割当て履歴管理部
５２  エリア固有のチャネル割当て履歴保存部
【図１】
0003803290.tif 000002
【図２】
0003803290.tif 000003
【図３】
0003803290.tif 000004
【図４】
0003803290.tif 000005
【図５】
0003803290.tif 000006
【図６】
0003803290.tif 000007
【図７】
0003803290.tif 000008
【図８】
0003803290.tif 000009
【図９】
0003803290.tif 000010